(57)【特許請求の範囲】
【請求項１】
日除けを吊り下げるためのフック部を有する支持アームと、この支持アームの基端側に固定された取付板部と、この取付板部との間で上方開口状の溝部が形成されるように当該取付板部に相対向状に連結された背面板部と、前記溝部内に嵌め込まれたサッシ枠を前記背面板部に押し付けて固定するための締め付け手段と、を備えている日除け吊り具において、
前記締め付け手段は、前記溝部内に出退自在となるように前記取付板部に貫通して設けられた押圧体と、前記取付板部の厚さ方向の軸心回りに回動自在となるように当該取付板部の表面に枢着されかつその軸心回りの一方側へ回転することで前記押圧体を前記背面板部側へ移動させる方向に傾斜したカム面を有する操作レバーと、から構成されていることを特徴とする日除け吊り具。
【請求項２】
カム面は、横向きの操作レバーを縦向きとなるように押し下げることで押圧体を背面板部側へ移動させる方向に傾斜している請求項１に記載の日除け吊り具。
【請求項３】
カム面は、縦向きの操作レバーを横向きとなるように押し上げることで押圧体を背面板部側へ移動させる方向に傾斜している請求項１に記載の日除け吊り具。
【発明の詳細な説明】
【０００１】
【発明の属する技術分野】
本発明は、すだれ等の日除けを窓等のサッシ枠に吊り下げるのに適した日除け吊り具に関する。
【０００２】
【従来の技術】
この種の日除け吊り具として、例えば実用新案登録第３００４４６８号公報に記載のものが知られている。この従来の日除け吊り具は、日除けを吊り下げるためのフック部を有する支持アームと、この支持アームの基端側に固定された取付板部と、この取付板部との間で上方開口状の溝部が形成されるように当該取付板部に相対向状に連結された背面板部と、その溝部内に嵌め込まれたサッシ枠を背面板部に押し付けて固定するための締め付け手段と、を備えている。
【０００３】
そして、従来では、締め付け手段として、取付板部に貫通状に設けたねじ孔に螺合するねじ軸と、このねじ軸に固定されたねじ頭部とからなる締め付けねじが採用されていた。
【０００４】
【発明が解決しようとする課題】
上記締め付けねじを採用している日除け吊り具では、ねじ頭部を何回も回動しないとねじ軸をその軸心方向に移動できないので、溝部内にサッシ枠を嵌め込んだ後の締め付けねじの締め付け作業に時間と手間がかかり、このため、日除け吊り具をサッシ枠に取り付けるのが非常に面倒であるという欠点がある。
【０００５】
また、前記締め付けねじを採用した日除け吊り具の場合、サッシ枠に対する固定力を有効に確保するためには、かなり大きなトルクでねじ頭部を指で回動する必要があるため、女性等の力の弱いユーザーの場合には日除け吊り具をサッシ枠に対して強固に固定できない場合があった。
そこで、本発明の課題は、サッシ枠に対する取り付け作業が簡単であり、しかも、力の弱いユーザーでも十分な固定力を確保できる日除け吊り具を提供する点にある。
【０００６】
【課題を解決するための手段】
上記課題を達成するために、本発明は次の技術的手段を講じた。
すなわち、本発明は、前記した日除け吊り具において、締め付け手段が、溝部内に出退自在となるように取付板部に貫通して設けられた押圧体と、前記取付板部の厚さ方向の軸心回りに回動自在となるように当該取付板部の表面に枢着されかつその軸心回りの一方側へ回転することで前記押圧体を背面板部側へ移動させる方向に傾斜したカム面を有する操作レバーと、から構成されていることを特徴としている。
【０００７】
本発明によれば、操作レバーを一方側へ回転すると、そのレバーに形成したカム面が押圧体を背面板部側へ移動し、この押圧体が溝部内に嵌め込まれているサッシ枠を背面板部側へ強固に押し付ける。このため、操作レバーを一方側へ回転するという極めて簡単なだけで、日除け吊り具をサッシ枠に対して強固に取り付けることができる。
また、操作レバーの回転運動をカム面を介して押圧体の押圧移動に変換するようにしているので、比較的小さなトルクで操作レバーを回転するだけで、押圧体を強固に締め付けることができる。
【０００８】
本発明において、カム面は、横向きの操作レバーを縦向きとなるように押し下げることで押圧体を背面板部側へ移動させる方向に傾斜させることができる。この場合には、操作レバーを押し下げることで押圧体を締め付けることになるので、同レバーを押し上げることで押圧体を締め付ける場合に比べて指に力が入り易く、押圧体の締め付け作業がより簡便になるという利点がある。
【０００９】
また、その逆に、カム面は、縦向きの操作レバーを横向きとなるように押し上げることで押圧体を背面板部側へ移動させる方向に傾斜させるようにしてもよい。この場合には、上記の場合に比べて締め付け作業がやや行い難くなる反面、締め付け完了時において操作レバーが横向きになってサッシ枠にほぼ沿った状態になるので、風に靡かれた日除けが不意に操作レバーに当たって同レバーが緩み方向に回動するのを未然に防止できるという利点がある。
【００１０】
【発明の実施の形態】
以下、図面に描かれた本発明の実施形態を説明する。
図１に示すように、本実施形態の日除け吊り具１は、日除け（図示せず）を吊り下げるためのフック部２，３を有する支持アーム４と、この支持アーム４の基端側に一体に形成された取付枠部５と、この取付枠部５に設けられた締め付け手段６と、を備えている。
【００１１】
このうち、支持アーム４と取付枠部５は一枚物のスレンレス鋼材を図示の形状に屈曲することにより一体に形成されている。支持アーム４は、先端側に向かうに従って徐々に先細りとなる細長い板状に形成されており、幅方向両端部を上方に屈曲することによって形成された補強リブ７を備えている。
この支持アーム４は、日除けを窓から遠い方と近い方のいずれにも吊り下げられるように、先端側の第一フック部２と基端側の第二フック部３の二つのフック部を備えており、第一フック部２はその自由端がアーム基端側に向くように屈曲されている。他方、第二フック部３は、支持アーム４の幅方向中央部を下方に切り起こすことによって形成されており、その自由端はアーム先端側に向くように屈曲されている。
【００１２】
本実施形態の取付枠部５は、支持アーム４の基端側に一体に形成された断面コの字形の枠材よりなる。この取付枠部５は、支持アーム４に対してほぼ直交した状態でその基端部に連なる取付板部８と、この取付板部８との間で上方開口状の溝部９が形成されるように当該取付板部８に対して相対向状に連結された背面板部１０と、を備えている。なお、例えば、硬質プラスチック製の支持アーム４を金属製の取付枠部５にねじ止め等することにより、両部材を別体で構成することもできる。
【００１３】
締め付け手段６は、取付枠部５の溝部９内に嵌め込まれたサッシ枠１１（図２参照）を背面板部１０に押し付けて固定するものであり、本実施形態の締め付け手段６は、図１（ｂ）に示すように、溝部９内に出退自在となるように取付板部８に貫通して設けられた押圧体１２と、その取付板部８に回動自在に枢着された操作レバー１３とから構成されている。
【００１４】
図１及び図２に示すように、押圧体１２は硬質プラスチック製の円柱体よりなり、取付板部８の中央部に設けた挿通孔に出退自在に挿通されている。なお、押圧体１２の左右両側には取付板部８に対する回り止め突条１４が形成され、押圧体１２の基端部には、後述する操作レバー１３のカム面１５が面接触する傾斜面１６が形成されている。
【００１５】
操作レバー１３は、取付板部８の外面側に枢着されたボス部１７と、このボス部１７の外周面から径外側に向けて突設されたレバー本体１８とを備えており、ボス部１７は、その中心部を軸心方向に貫通する枢着ピン１９によって当該取付板部８に対して回動自在となるように枢着されている。
図１（ｂ）に示すように、ボス部１７は、その外周部分が押圧体１２と重なり合うように同押圧体１２に近接した位置に配置されており、当該ボス部１７の軸心回りの回転に伴ってその押圧体１２を溝部９内へ移動させるためのカム面１５を裏面側に有している。
【００１６】
そして、本実施形態では、当該カム面１５は、図２（ａ）に示す横向きの操作レバー１３を図２（ｂ）に示す縦向きとなるように押し下げることで、前記押圧体１２を背面板部１０側へ移動させる方向に傾斜している。
【００１７】
次に、上記構成を有する日除け吊り具１の使用方法と作用を説明する。
本実施形態の日除け吊り具１をサッシ枠１１に取り付けるには、まず、操作レバー１３を横向きにして押圧体１２を緩めた状態にしておき、この状態で、図２（ａ）に示すように、取付枠部５の溝部９内にサッシ枠１１を嵌め込んで、日除け吊り具１をサッシ枠１１の屋外側面（図２の左側の側面）から突出するようにセットする。
【００１８】
その後は、図２（ｂ）に示すように、操作レバー１３のレバー本体１８を縦向きとなるように締め付ければよい。このとき、操作レバー１３のカム面１５によって押圧体１２が溝部９内に移動し、この押圧体１２がサッシ枠１１を背面板部１０に向かって強固に押し付けるので、日除け吊り具１の取付枠部５がサッシ枠１１に対して強固に取り付けられることになる。
【００１９】
このように、本実施形態によれば、横向きの操作レバー１３を下方に回転するという極めて簡単なだけで、日除け吊り具１をサッシ枠１１に対して強固に取り付けることができるので、締め付けねじを使用している従来品に比べてサッシ枠１１に対する取付作業を大幅に簡便化できる。
また、操作レバー１３の回転運動をカム面１５を介して押圧体１２の押圧移動に変換するようにしているので、比較的小さなトルクで操作レバー１３を回転するだけで、押圧体１２を強固に締め付けることができる。このため、女性や老人等の力の弱いユーザーでも十分な固定力を確保することができる。
【００２０】
更に、本実施形態では、横向きの操作レバー１３を縦向きとなるように押し下げることで押圧体１２を背面板部１０側へ移動させる方向に傾斜したカム面１５を採用しているので、操作レバー１３を押し上げることで押圧体１２を締め付ける場合に比べて指に力が入り易く、押圧体１２の締め付け作業がより簡便になるという利点がある。
【００２１】
なお、本発明は上記実施形態に限定されるものではない。
例えば、ボス部１７のカム面１５を、縦向きの操作レバー１３を横向きとなるように押し上げることで押圧体１２を背面板部１０側へ移動させる方向に傾斜させるようにしてもよい。
この場合には、上記実施形態の場合に比べて押圧体１２の締め付け作業がやや行い難くなる反面、締め付け完了時において操作レバー１３が横向きになってサッシ枠１１にほぼ沿った状態（図２（ａ）の状態）になるので、風に靡かれた日除けが不意に操作レバー１３に当たって同レバー１３が緩み方向に回動するのを未然に防止できるという利点がある。
【００２２】
また、押圧体１２の当接面にゴムパッドを固着するようにすれば、サッシ枠１１に対する滑り止め作用によって固定力を強化することができる。
【００２３】
【発明の効果】
本発明によれば、操作レバーを一方側へ回転するだけで日除け吊り具の支持アームをサッシ枠に固定できるので、サッシ枠に対する取り付け作業が非常に簡単になるとともに、比較的小さなトルクで操作レバーを回転するだけで押圧体を強固に締め付けられるので、力の弱いユーザーでも十分な固定力を確保することができる。
【図面の簡単な説明】
【図１】（ａ）は本発明の日除け吊り具の斜視図である。
（ｂ）は上記（ａ）のＡ−Ａ線断面図である。
【図２】（ａ）は日除け吊り具の基端部をサッシ枠にセットしかつ操作レバーを締め付ける前の状態を示す断面図である。
（ｂ）は日除け吊り具の基端部をサッシ枠にセットしかつ操作レバーを締め付けた後の状態を示す断面図である。
【符号の説明】
１      日除け吊り具
２      第一フック部
３      第二フック部
４      支持アーム
６      締め付け手段
８      取付板部
９      溝部
１０      背面板部
１１      サッシ枠
１２      押圧体
１３      操作レバー
１５      カム面
【図１】
0003780351.tif 000002
【図２】
0003780351.tif 000003